(57)【特許請求の範囲】
【請求項１】
建築現場用の撹拌装置であって、支持ベース（１）を含み、前記支持ベース（１）の上表面には、撹拌機構が設けられ、前記支持ベース（１）の下表面には、支持移動機構が設けられ、前記撹拌機構は、前記支持ベース（１）の上表面に設けられる回転円盤（２）と、前記回転円盤（２）の上表面に固定して接続される第一蓋無しキャリー箱（３）と、前記第一蓋無しキャリー箱（３）における上表面の縁に固定して接続される回転支持円環（４）と、前記回転支持円環（４）の上表面に固定して接続される中空円筒（５）と、前記中空円筒（５）内における下端側表面と固定して接続され且つ前記第一蓋無しキャリー箱（３）における内側表面の上端と重ね継ぎされる回転ガスケット（６）と、前記第一蓋無しキャリー箱（３）と前記中空円筒（５）の内側表面に固定して接続され、前記中空円筒（５）の径方向に沿って延在する複数の水平棒状撹拌部品（７）と、前記支持ベース（１）における上表面の一端に固定して接続されるＬ字型ぶら下げ台（８）と、前記Ｌ字型ぶら下げ台（８）の上表面に設けられる鉛直伸縮装置（９）と、前記鉛直伸縮装置（９）の伸縮端に嵌着されるぶら下げ支持台（１０）と、前記ぶら下げ支持台（１０）内に設けられ且つ回転端が下方を向く回転装置（１１）と、前記回転装置（１１）の回転端に嵌着され且つ前記中空円筒（５）と前記第一蓋無しキャリー箱（３）内に延在して前記水平棒状撹拌部品（７）と交差して配置される鉛直撹拌軸（１２）と、前記第一蓋無しキャリー箱（３）と前記中空円筒（５）の外側表面に固定して接続され且つ前記Ｌ字型ぶら下げ台（８）の内側に位置するＬ字型プッシュハンドル（１３）と、前記第一蓋無しキャリー箱（３）における下表面の一端に設けられ且つ前記回転円盤（２）を貫通する排出管路（１４）と、から構成され、前記Ｌ字型ぶら下げ台（８）の側表面には、起動スイッチ組（１５）が嵌着され、前記起動スイッチ組（１５）は、前記鉛直伸縮装置（９）の起動スイッチと、前記回転装置（１１）の起動スイッチと、から構成され、前記鉛直伸縮装置（９）と前記回転装置（１１）とは、いずれも前記起動スイッチ組（１５）と電気接続される、
ことを特徴とする建築現場用の撹拌装置。
【請求項２】
前記支持移動機構は、前記支持ベース（１）の下表面に設けられる複数の円形支持台（１６）と、各前記円形支持台（１６）の下表面に嵌着される交差Ｌ字型固定台（１７）と、各前記交差Ｌ字型固定台（１７）の下表面に設けられる二対の鉛直支持台（１８）と、各前記鉛直支持台（１８）の下表面に設けられる支持自在輪（１９）と、各前記支持自在輪（１９）に設けられる制動部品（２０）と、から構成される、
ことを特徴とする請求項１に記載の建築現場用の撹拌装置。
【請求項３】
前記Ｌ字型ぶら下げ台（８）の対向する側の表面には、いずれもＬ字型固定台（２１）が固定して接続され、各前記Ｌ字型固定台（２１）内には、いずれも円錐形ホッパー（２２）が設けられ、前記円錐形ホッパー（２２）は、前記中空円筒（５）の上方に位置する、
ことを特徴とする請求項１に記載の建築現場用の撹拌装置。
【請求項４】
前記支持ベース（１）の上表面において前記Ｌ字型ぶら下げ台（８）と前記回転円盤（２）との間には、環状マット（２３）が嵌着される、
ことを特徴とする請求項１に記載の建築現場用の撹拌装置。
【請求項５】
各前記Ｌ字型プッシュハンドル（１３）には、いずれも保護柔軟層（２４）が嵌着される、
ことを特徴とする請求項１に記載の建築現場用の撹拌装置。
【請求項６】
前記鉛直撹拌軸（１２）の下端面には、前記第一蓋無しキャリー箱（３）における内部の下表面と重ね継ぎされる回転ブロック（２５）が嵌着され、前記回転ブロック（２５）の側表面には、前記第一蓋無しキャリー箱（３）内の下表面と重ね継ぎされる回転羽根（２６）が嵌着される、
ことを特徴とする請求項１に記載の建築現場用の撹拌装置。
【請求項７】
前記Ｌ字型ぶら下げ台（８）の対向する左右両側表面には、いずれも鉛直ハンドル（２７）が固定して接続される、
ことを特徴とする請求項１に記載の建築現場用の撹拌装置。
【請求項８】
前記回転支持円環（４）の外側表面には、前記第一蓋無しキャリー箱（３）と前記中空円筒（５）の外側表面と重ね継ぎされるガスケット（２８）が嵌着される、
ことを特徴とする請求項１に記載の建築現場用の撹拌装置。
【請求項９】
前記ぶら下げ支持台（１０）には、弾性保護カバー（２９）が嵌着される、
ことを特徴とする請求項１に記載の建築現場用の撹拌装置。
【請求項１０】
前記支持ベース（１）の側表面には、商用電源ポート（３０）が嵌着され、前記起動スイッチ組（１５）は、導線によって前記商用電源ポート（３０）と電気接続される、
ことを特徴とする請求項１に記載の建築現場用の撹拌装置。
【発明の詳細な説明】
【技術分野】
【０００１】
本発明は、撹拌分野に関し、具体的には、建築現場用の撹拌装置に関する。
【背景技術】
【０００２】
撹拌とは、多種な原材料を均一的に撹拌することである。
建築において、建築物間の接続の信頼性を高めるために、建築材料の隙間に混合材料を充填する必要があり、従来は、撹拌機で撹拌するが、撹拌機の体積が大きいため、片方向の撹拌を行うことになり、所要時間が長く、消耗する電気エネルギーが多くなる。人力によって撹拌する場合、作業強度が大きくなる。
【先行技術文献】
【特許文献】
【０００３】
【特許文献１】中国実用新案公開第２０８２３２０６４号明細書
【発明の概要】
【発明が解決しようとする課題】
【０００４】
本発明は、上記の技術的課題を解決するために、建築現場用の撹拌装置を提供することを目的とする。
【課題を解決するための手段】
【０００５】
建築現場用の撹拌装置であって、支持ベースを含み、前記支持ベースの上表面には、撹拌機構が設けられ、前記支持ベースの下表面には、支持移動機構が設けられ、前記撹拌機構は、前記支持ベースの上表面に設けられる回転円盤と、前記回転円盤の上表面に固定して接続される第一蓋無しキャリー箱と、前記第一蓋無しキャリー箱における上表面の縁に固定して接続される回転支持円環と、前記回転支持円環の上表面に固定して接続される中空円筒と、前記中空円筒内における下端側表面と固定して接続され且つ前記第一蓋無しキャリー箱における内側表面の上端と重ね継ぎされる回転ガスケットと、前記第一蓋無しキャリー箱と前記中空円筒の内側表面に固定して接続される一対の水平環状撹拌部品と、前記支持ベースにおける上表面の一端に固定して接続されるＬ字型ぶら下げ台と、前記Ｌ字型ぶら下げ台の上表面に設けられる鉛直伸縮装置と、前記鉛直伸縮装置の伸縮端に嵌着されるぶら下げ支持台と、前記ぶら下げ支持台内に設けられ且つ回転端が下方を向く回転装置と、前記回転装置の回転端に嵌着され且つ前記中空円筒と前記第一蓋無しキャリー箱内に延在して前記水平環状撹拌部品と交差して配置される鉛直撹拌軸と、前記第一蓋無しキャリー箱と前記中空円筒の外側表面に固定して接続され且つ前記Ｌ字型ぶら下げ台の内側に位置するＬ字型プッシュハンドルと、前記第一蓋無しキャリー箱における下表面の一端に設けられ且つ前記回転円盤を貫通する排出管路と、から構成され、前記Ｌ字型ぶら下げ台の側表面には、起動スイッチ組が嵌着され、前記鉛直伸縮装置と前記回転装置とは、いずれも対応のワンチップマイクロコンピュータを介して前記起動スイッチ組と電気接続される。
【０００６】
前記支持移動機構は、前記支持ベースの下表面に設けられる複数の円形支持台と、各前記円形支持台の下表面に嵌着される交差Ｌ字型固定台と、各前記交差Ｌ字型固定台の下表面に設けられる二対の鉛直支持台と、各前記鉛直支持台の下表面に設けられる支持自在輪と、各前記支持自在輪に設けられる制動部品と、から構成される。
【０００７】
前記Ｌ字型ぶら下げ台の対向する側の表面には、いずれもＬ字型固定台が固定して接続され、各前記Ｌ字型固定台内には、いずれも前記中空円筒と対応する円錐形ホッパーが設けられる。
【０００８】
前記支持ベースの上表面において前記Ｌ字型ぶら下げ台と前記回転円盤との間には、環状マットが嵌着される。
【０００９】
各前記Ｌ字型プッシュハンドルには、いずれも保護柔軟層が嵌着される。
【００１０】
前記鉛直撹拌軸の下端面には、前記第一蓋無しキャリー箱における内部の下表面と重ね継ぎされる回転ブロックが嵌着され、前記回転ブロックの側表面には、前記第一蓋無しキャリー箱内の下表面と重ね継ぎされる回転羽根が嵌着される。
【００１１】
前記Ｌ字型ぶら下げ台の対向する左右両側表面には、いずれも鉛直ハンドルが固定して接続される。
【００１２】
前記回転支持円環の外側表面には、前記第一蓋無しキャリー箱と前記中空円筒の外側表面と重ね継ぎされるガスケットが嵌着される。
【００１３】
前記ぶら下げ支持台には、弾性保護カバーが嵌着される。
【００１４】
前記支持ベースの側表面には、商用電源ポートが嵌着され、前記起動スイッチ組は、導線によって前記商用電源ポートと電気接続される。
【発明の効果】
【００１５】
本発明の建築現場用の撹拌装置は、使用が便利で、エネルギーを節約し、撹拌速度が速く、撹拌の均一性がいい。
【図面の簡単な説明】
【００１６】
本願に記載の各方向が、図１と同じ向きに装置を見た際の方向である。
【００１７】
【図１】本発明に関わる建築現場用の撹拌装置の構造図である。
【図２】本発明に関わる建築現場用の撹拌装置の俯瞰図である。
【図３】本発明に関わる建築現場用の撹拌装置の側面図である。
【図４】本発明における支持移動機構の局部底面図である。
【発明を実施するための形態】
【００１８】
以下、図１〜図４を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００１９】
図１〜４に示すように、建築現場用の撹拌装置であって、支持ベース１を含み、前記支持ベース１の上表面には、撹拌機構が設けられ、前記支持ベース１の下表面には、支持移動機構が設けられ、前記撹拌機構は、前記支持ベース１の上表面に設けられる回転円盤２と、前記回転円盤２の上表面に固定して接続される第一蓋無しキャリー箱３と、前記第一蓋無しキャリー箱３における上表面の縁に固定して接続される回転支持円環４と、前記回転支持円環４の上表面に固定して接続される中空円筒５と、前記中空円筒５内における下端側表面と固定して接続され且つ前記第一蓋無しキャリー箱３における内側表面の上端と重ね継ぎされる回転ガスケット６と、前記第一蓋無しキャリー箱３と前記中空円筒５の内側表面に固定して接続される一対の水平環状撹拌部品７と、前記支持ベース１における上表面の一端に固定して接続されるＬ字型ぶら下げ台８と、前記Ｌ字型ぶら下げ台８の上表面に設けられる鉛直伸縮装置９と、前記鉛直伸縮装置９の伸縮端に嵌着されるぶら下げ支持台１０と、前記ぶら下げ支持台１０内に設けられ且つ回転端が下方を向く回転装置１１と、前記回転装置１１の回転端に嵌着され且つ前記中空円筒５と前記第一蓋無しキャリー箱３内に延在して前記水平環状撹拌部品７と交差して配置される鉛直撹拌軸１２と、前記第一蓋無しキャリー箱３と前記中空円筒５の外側表面に固定して接続され且つ前記Ｌ字型ぶら下げ台８の内側に位置するＬ字型プッシュハンドル１３と、前記第一蓋無しキャリー箱３における下表面の一端に設けられ且つ前記回転円盤２を貫通する排出管路１４と、から構成され、前記Ｌ字型ぶら下げ台８の側表面には、起動スイッチ組１５が嵌着され、前記鉛直伸縮装置９と前記回転装置１１とは、いずれも対応のワンチップマイクロコンピュータを介して前記起動スイッチ組１５と電気接続され、前記支持移動機構は、前記支持ベース１の下表面に設けられる複数の円形支持台１６と、各前記円形支持台１６の下表面に嵌着される交差Ｌ字型固定台１７と、各前記交差Ｌ字型固定台１７の下表面に設けられる二対の鉛直支持台１８と、各前記鉛直支持台１８の下表面に設けられる支持自在輪１９と、各前記支持自在輪１９に設けられる制動部品２０と、から構成され、前記Ｌ字型ぶら下げ台８の対向する側の表面には、いずれもＬ字型固定台２１が固定して接続され、各前記Ｌ字型固定台２１内には、いずれも前記中空円筒５と対応する円錐形ホッパー２２が設けられ、前記支持ベース１の上表面において前記Ｌ字型ぶら下げ台８と前記回転円盤２との間には、環状マット２３が嵌着され、各前記Ｌ字型プッシュハンドル１３には、いずれも保護柔軟層２４が嵌着され、前記鉛直撹拌軸１２の下端面には、前記第一蓋無しキャリー箱３における内部の下表面と重ね継ぎされる回転ブロック２５が嵌着され、前記回転ブロック２５の側表面には、前記第一蓋無しキャリー箱３内の下表面と重ね継ぎされる回転羽根２６が嵌着され、前記Ｌ字型ぶら下げ台８の対向する左右両側表面には、いずれも鉛直ハンドル２７が固定して接続され、前記回転支持円環４の外側表面には、前記第一蓋無しキャリー箱３と前記中空円筒５の外側表面と重ね継ぎされるガスケット２８が嵌着され、前記ぶら下げ支持台１０には、弾性保護カバー２９が嵌着され、前記支持ベース１の側表面には、商用電源ポート３０が嵌着され、前記起動スイッチ組１５は、導線によって前記商用電源ポート３０と電気接続される。
【００２０】
本実施例の特徴は、前記建築現場用の撹拌装置を使用する時に、撹拌される原材料を前記中空円筒５と前記第一蓋無しキャリー箱３内に入れ、前記Ｌ字型ぶら下げ台８の側表面に位置する前記起動スイッチ組１５を押し、前記Ｌ字型ぶら下げ台８に位置する前記鉛直伸縮装置９を鉛直に伸縮させ、前記回転装置１１が前記鉛直撹拌軸１２を下方に伸びさせ、前記鉛直撹拌軸１２の下端面に位置する前記回転ブロック２５を前記第一蓋無しキャリー箱１内の下表面と接触させ、前記回転ブロック２５の側表面に位置する前記回転羽根２６を前記第一蓋無しキャリー箱１の内部表面と接触させ、対応の起動スイッチを押すことで、前記回転装置１１を回転させ、前記鉛直撹拌軸１２が回転し、原材料が撹拌され、前記建築現場用の撹拌装置が自動的に回転し撹拌する時に、使用者二人が前記第一蓋無しキャリー箱３と前記中空円筒５の外側表面とに位置する前記Ｌ字型プッシュハンドル１３を握って逆方向に回し、前記中空円筒５を対応の前記回転支持円環４の上で回転させ、前記第一蓋無しキャリー箱３が前記支持ベース１の上表面に位置する前記回転円盤２の上で回転し、交差回転に便利であり、電力の節約と人力撹拌強度の軽減に便利であり、前記第一蓋無しキャリー箱３と前記中空円筒５の内側表面に位置する一対の前記水平環状撹拌部品７は、原材料の撹拌に協力でき、原材料を速いスピードで均一的に撹拌することができ、前記中空円筒５の内側表面に位置し且つ前記第一蓋無しキャリー箱３の内側表面と重ね継ぎされる前記回転ガスケット６が密封機能を果たし、前記鉛直伸縮装置９と前記回転装置１１との間の前記ぶら下げ支持台１０は、前記回転装置１１を支持することができ、前記第一蓋無しキャリー箱３の下表面に位置し且つ前記回転円盤２を貫通する前記排出管路１４は、撹拌後の混合材料を排出することができる。
【００２１】
本実施例において、前記建築現場用の撹拌装置を使用する時に、撹拌される原材料を前記中空円筒５と前記第一蓋無しキャリー箱３内に入れ、前記Ｌ字型ぶら下げ台８の側表面に位置する前記起動スイッチ組１５を押し、前記Ｌ字型ぶら下げ台８に位置する前記鉛直伸縮装置９を鉛直に伸縮させ、前記回転装置１１が前記鉛直撹拌軸１２を下方に伸びさせ、前記鉛直撹拌軸１２の下端面に位置する前記回転ブロック２５を前記第一蓋無しキャリー箱１内の下表面と接触させ、前記回転ブロック２５の側表面に位置する前記回転羽根２６を前記第一蓋無しキャリー箱１の内部表面と接触させ、対応の起動スイッチを押すことで、前記回転装置１１を回転させ、前記鉛直撹拌軸１２が回転し、原材料が撹拌され、前記建築現場用の撹拌装置が自動的に回転し撹拌する時に、使用者二人が前記第一蓋無しキャリー箱３と前記中空円筒５の外側表面とに位置する前記Ｌ字型プッシュハンドル１３を握って逆方向に回し、前記中空円筒５を対応の前記回転支持円環４の上で回転させ、前記第一蓋無しキャリー箱３が前記支持ベース１の上表面に位置する前記回転円盤２の上で回転し、交差回転に便利であり、電力の節約と人力撹拌強度の軽減に便利であり、前記第一蓋無しキャリー箱３と前記中空円筒５の内側表面に位置する一対の前記水平環状撹拌部品７は、原材料の撹拌に協力でき、原材料を速いスピードで均一的に撹拌することができ、前記中空円筒５の内側表面に位置し且つ前記第一蓋無しキャリー箱３の内側表面と重ね継ぎされる前記回転ガスケット６が密封機能を果たし、前記鉛直伸縮装置９と前記回転装置１１との間の前記ぶら下げ支持台１０は、前記回転装置１１を支持することができ、前記第一蓋無しキャリー箱３の下表面に位置し且つ前記回転円盤２を貫通する前記排出管路１４は、撹拌後の混合材料を排出することができ、前記支持ベース1の下方に位置する複数の前記支持自在輪１９は、前記建築現場用の撹拌装置に対し支持と移動機能を果たし、各前記支持自在輪１９は、いずれも前記鉛直支持台１８を介して対応の前記交差Ｌ字型固定台１７と接続され、各前記交差Ｌ字型固定台１７は、いずれも前記円形支持台１６を介して前記支持ベース１の下表面と接続され、これによって支持機能を強化でき、各前記支持自在輪１９に位置する前記制動部品２０は、下方に揺動して対応の前記支持自在輪１９をロックして前記建築現場用の撹拌装置を固定することができ、前記Ｌ字型ぶら下げ台８の側表面に位置する一対の前記円錐形ホッパー２２は、原材料を供給することができ、各前記円錐形ホッパー２２は、いずれも前記Ｌ字型固定台２１を介して前記Ｌ字型ぶら下げ台８の側表面と接続され、前記支持ベース１の上表面に位置し且つ前記回転円盤２同士の間に位置する前記環状マット２３は、前記回転円盤２の回転時に足で踏むことができ、各前記Ｌ字型プッシュハンドル１３に位置する前記保護柔軟層２４は、握り心地が快適であり、前記Ｌ字型ぶら下げ台８の両側表面に位置する一対の前記鉛直ハンドル２７は、前記建築現場用の撹拌装置を押し動かすことに便利であり、前記第一蓋無しキャリー箱３と前記中空円筒５の外側表面との間に位置する前記ガスケット２８は、密封性を向上させ、前記ぶら下げ支持��１０に位置する前記弾性保護カバー２９は、内部の回転装置１１を保護することができ、前記支持ベース１の側表面に位置する前記商用電源ポート３０は、外部の電源と接続でき、前記建築現場用の撹拌装置内の電気部品に給電することができ、前記電気接続は、保護内容に属しないため、説明を略する。
【符号の説明】
【００２２】
１  支持ベース
２  回転円盤
３  第一蓋無しキャリー箱
４  回転支持円環
５  中空円筒
６  回転ガスケット
７  水平環状撹拌部品
８  Ｌ字型ぶら下げ台
９  鉛直伸縮装置
１０  ぶら下げ支持台
１１  回転装置
１２  鉛直撹拌軸
１３  Ｌ字型プッシュハンドル
１４  排出管路
１５  起動スイッチ組
１６  円形支持台
１７  交差Ｌ字型固定台
１８  鉛直支持台
１９  支持自在輪
２０  制動部品
２１  Ｌ字型固定台
２２  円錐形ホッパー
２３  環状マット
２４  保護柔軟層
２５  回転ブロック
２６  回転羽根
２７  鉛直ハンドル
２８  ガスケット
２９  弾性保護カバー
３０  商用電源ポート
【図１】
0006975300.tif 000002
【図２】
0006975300.tif 000003
【図３】
0006975300.tif 000004
【図４】
0006975300.tif 000005